(57)【特許請求の範囲】
【請求項１】
壁に設けられた開口に水栓取付板が取り付けられ、該水栓取付板の前面側に水栓が設置され、
壁裏を引き回されたチューブが該水栓取付板のチューブ挿通部を通って水栓取付板の前面側に引き出され、該水栓に直接に接続されている水栓の設置構造であって、
前記水栓取付板に凹部が設けられ、該凹部の底面に前記チューブ挿通部が設けられており、前記水栓は前記水栓取付板の上半側の前面に配置され、該水栓の後部から後方斜め下向きにチューブ接続部が突設されており、
該チューブ接続部に前記チューブが接続されていることを特徴とする水栓の設置構造。
【請求項２】
請求項１において、該凹部の底面は前方に向って下り勾配の斜面となっており、
前記孔とチューブとの間隙を閉鎖するシールが設けられていることを特徴とする水栓の設置構造。
【請求項３】
請求項１又は２において、水栓取付板の前記凹部の前面側を覆うカバーが設けられていることを特徴とする水栓の設置構造。
【請求項４】
請求項３において、前記カバーは前記水栓と別体であることを特徴とする水栓の設置構造。
【請求項５】
請求項３において、前記カバーは前記水栓と一体であることを特徴とする水栓の設置構造。
【請求項６】
請求項１ないし５のいずれか１項において、前記水栓にボルト又はビスの挿通部が設けられており、水栓の前方側から該ボルト又はビスの挿通部に挿通されたボルト又はビスによって前記水栓が固定されていることを特徴とする水栓の設置構造。
【発明の詳細な説明】
【０００１】
【発明の属する技術分野】
本発明は壁に水栓を設置した構造に関するものであり、特に壁の裏側に合成樹脂等のチューブが引き回された鞘管ヘッダー式配管システムにおいて採用する場合にきわめて好適な水栓の設置構造に関する。
【０００２】
【従来の技術】
建物内に給水又は給湯用の配管を引き回す工法として鞘管ヘッダー工法がある。この鞘管工法においては、蛇腹状の鞘管を給水用ヘッダー又は給湯用のヘッダーと浴室、台所等との間に引き回し、この鞘管の内部に給水又は給湯用のチューブを通し、一端を該ヘッダーに接続し、他端を浴室や台所等の水栓に接続する。
【０００３】
このチューブは、架橋ポリエチレンやポリブテン等の合成樹脂よりなるものが多く用いられている。
【０００４】
この水栓を壁に固定設置すると共にこのチューブと水栓とを接続する従来構造においては、特許第２５８７９７７号、特開平９−３０２７３８号公報の如く、チューブ先端を壁から引き出して継手を該チューブの先端に固着し、この継手を壁に固定し、該継手に水栓の流入口部分を螺じ込んで水栓の固定とチューブへの連通とを行うようにしている。
【０００５】
【発明が解決しようとする課題】
上記従来構造のうち、特許第２５８７９７７号の水栓の設置構造にあっては、水栓取付用の台座を壁前面に固定し、この台座に対しチューブ先端の継手を固定し、該台座に対し水栓を固着するようにしているが、台座が出張る分だけ水栓の室内への出張りが大きいという短所がある。
【０００６】
また、特許第２５８７９７７号及び特開平９−３０２７３８号のいずれにおいても、チューブ先端に継手を取り付け、この継手に水栓を接続するようにしているため、接続箇所が多く、接続作業に手間取ると共に漏水の可能性もそれだけ高くなる。
【０００７】
本発明は、チューブを水栓に直に接続し、水栓の出張りも小さくて済む水栓の設置構造を提供することを目的とする。
【０００８】
【課題を解決するための手段】
本発明の水栓の設置構造は、壁に設けられた開口に水栓取付板が取り付けられ、該水栓取付板の前面側に水栓が設置され、壁裏を引き回されたチューブが該水栓取付板のチューブ挿通部を通って水栓取付板の前面側に引き出され、該水栓に直接に接続されている水栓の設置構造であって、前記水栓取付板に凹部が設けられ、該凹部の底面に前記チューブ挿通部が設けられており、前記水栓は前記水栓取付板の上半側の前面に配置され、該水栓の後部から後方斜め下向きにチューブ接続部が突設されており、該チューブ接続部に前記チューブが接続されていることを特徴とする。
【０００９】
かかる水栓の設置構造にあっては、水栓にチューブが直に接続されており、接続箇所が少ないので、接続作業が簡単になると共に、漏水の可能性も低くなる。
【００１０】
この水栓の設置構造においては、水栓に凹部が設けられ、該凹部の底面に前記チューブ挿通部が設けられているので、壁内を下方から上方に向って引き回されてきたチューブを殆ど曲げることなく室内側へ引き出すこができる。
【００１１】
本発明の水栓の設置構造では、水栓は前記水栓取付板の上半側の前面に配置され、該水栓の後部から後方斜め下向きにチューブ接続部が突設されており、該チューブ接続部に前記チューブが接続されているので、チューブを殆ど曲げることなく水栓とをきわめて容易に接続することができる。
【００１２】
本発明では、凹部の底面を前方に向って下り勾配の斜面とし、孔とチューブとの間をシールで閉鎖することにより、漏水や凹部内への浸水があっても水を室内側へ流し出すことができ、壁裏への浸水を確実に防止できる。
【００１３】
本発明の水栓の設置構造では、水栓取付板の凹部の前面側をカバーで覆うことにより、美感を高めることができる。このカバーは水栓と一体であってもよく、別体であってもよい。カバーを水栓と別体とすれば、水栓に対するチューブの接続作業がきわめて行い易いものとなる。水栓とカバーとを一体とした場合、取付の手間が少なくなると共に、カバーを水栓取付板又は壁に固定することにより、水栓の支持点（固定箇所）が多くなり、水栓の取付がきわめて堅固なものとなる。
【００１４】
本発明では、水栓にボルト又はビスの挿通部を設けておき、水栓の前方側から該ボルト又はビスの挿通部に挿通されたボルト又はビスを水栓取付板又は壁に螺着することにより、水栓を室内側から堅固に取り付けることができる。
【００１５】
【発明の実施の形態】
以下、図面を参照して、本発明の実施の形態について説明する。
【００１６】
図１は本発明の実施の形態に係る水栓の設置構造を示す分解斜視図、図２はカバーを取り付ける状態を示す斜視図、図３はこの設置構造を示す縦断面図である。
【００１７】
この実施の形態において、壁１０はボード１２の前面にタイル１４を貼り付けたタイルパネルにて構成されている。この壁１０のボード１２に開口１６が設けられ、この開口１６に水栓取付板２０がビス２１によって取り付けられている。なお、開口１６はタイル１４の１枚又は複数枚（この実施の形態では４枚）分よりも若干小さい方形開口となっている。
【００１８】
水栓取付板２０は、背後側に凹陥する凹部２２を備えている。この凹部２２の底面２４は、前方に向って下り勾配となる斜面となっている。この底面２４に孔よりなるチューブ挿通部２６が設けられている。
【００１９】
壁１０の裏側には、鞘管３０が配置され、この鞘管３０内に合成樹脂製のチューブ３２が挿通されている。このチューブ３２及び鞘管３０は、床下側から上方に向って立ち上げられている。チューブ３２の先端側は、鞘管３０の上端から上方に突出し、チューブ挿通部２６を通って室内側へ引き出されている。
【００２０】
水栓４０は、この実施の形態にあってはボディー４２と、該ボディー４２の後部側から斜め後方に向って突設された突管状の２個のチューブ接続部４４，４６（符号４６については図６参照）と、ボディー４２内に配置された湯水混合弁（図示略）と、ボディー４２の左右に配置された吐水温度調節用の温調ハンドル４８と、吐水、止水の切替及び流量調整を行う流調ハンドル５０と、ボディー４２の前部下面から前方へ回動自在に延出された吐水管５２とを備えている。
【００２１】
前記チューブ接続部４４は湯水混合弁の水流入口に連通され、チューブ接続部４６は該湯水混合弁の湯流入口に連通している。前記チューブ３２及びチューブ挿通部２６はそれぞれ２個設けられており、図１の右側のチューブ３２は水用ヘッダに連通した水供給用チューブであり、左側のチューブ３２は湯用ヘッダに連通した湯供給用チューブである。
【００２２】
チューブ３２は、前記チューブ挿通部２６から室内側に引き出された後、シールリング６０が装着され、次いでチューブ接続部４４，４６に外嵌され、ユニオンナットやホースバンドなどのホース接続固定部材６２によって該チューブ接続部４４，４６に固着される。
【００２３】
チューブ３２がチューブ挿通部２６に挿通された後、水栓取付板２０が前記ビス２１によってボード１２に固定される。なお、このボード１２にナットを固着しておいた場合には、ビス２１の代わりにボルトによって水栓取付板をボードに固定することができる。
【００２４】
前記水栓４０のボディー４２の後部上縁からはフランジ５４が立ち上げられ、このフランジ５４にボルト又はビスの挿通孔５６が設けられている。水栓４０は、ビス７０を該挿通孔５６及び水栓取付板２０の挿通孔６４を通してボード１２に螺じ込むことにより、壁１０に固定される。
【００２５】
水栓４０の固定後、カバー８０を凹部２２を覆うように水栓４０の下側に取り付ける。このカバー８０にはビス８２の挿通孔８４が設けられており、水栓取付板２０に設けられた挿通孔８６を通して該ビス８２をボード１２に螺じ込むことにより、カバー８０が固定される。
【００２６】
なお、水栓４０及びカバー８０も水栓取付板２０と同様にボルトによってボード１２に固定されても良い。
【００２７】
この水栓の設置構造とするには、水栓取付板２０を壁１０に固定するに先立って、チューブ３２を開口１６から室内側に引き出し、この状態でチューブ３２を水栓取付板２０のチューブ挿通部２６に通す。そして、このチューブ３２にシールリング６０を装着する。このようにシールリング６０をチューブ３２に装着すると、チューブ３２がチューブ挿通部２６から抜け落ちることが防止される。
【００２８】
次いで、水栓取付板２０を壁１０にビス２１で固定した後、チューブ３２と水栓４０のチューブ接続部４４，４６とを接続し、水栓４０をビス７０によって壁１０に固定する。その後、カバー８０を取り付ける。なお、水栓取付板２０を壁１０に取り付けるに先立って、チューブ３２と水栓４０とを接続しても良い。
【００２９】
この実施の形態では、シールリング６０を用いているが、シリコンコーキングやその他のパテのような自硬性シール材料にてチューブ挿通部２６とチューブ３２との間を閉鎖するようにしても良い。また、チューブ挿通部２６にチューブ３２をピッタリと嵌めてシールを行っても良く、チューブ挿通部２６にリング状のゴム又は樹脂製のリップを装着しておいても良い。
【００３０】
このようにして水栓を設置した構造にあっては、図３から明らかな通り、凹部２２の底面２４が前方に向って下り勾配となっており、しかもシールリング６０によってチューブ３２とチューブ挿通部２６との間の隙間が閉鎖されているため、仮にチューブ接続部４４とチューブ３２との接続部から漏水が生じても、この水は壁１０の裏側に入ることなく、室内側に流れ出る。
【００３１】
また、図３から明らかな通り、この水栓取付板２０は壁１０の前面から非突出状態となっており、水栓４０の前方への突出がきわめて少なく、室内のスペースを有効に利用することが可能である。
【００３２】
この実施の形態にあっては、カバー８０を後から取り付けるので、チューブ３２の先端とチューブ接続部４４，４６とを接続し易い。また、前記の通り、凹部２２の底面２４にチューブ挿通部２６を設けているため、下方から上方に向けて立ち上げられたチューブ３２をごくわずかに曲げるだけで該チューブ３２を室内側に引き出し、チューブ接続部４４，４６に接続することが可能である。
【００３３】
上記実施の形態にあっては水栓４０を水栓取付板２０からはみ出さないように取り付けているが、本発明では図４のように水栓４０のフランジ５４を上方に延長し、このフランジ５４を壁１０のタイル１４の上に重ね合せ、ビス７０によって水栓４０を壁１０に直接的に固定しても良い。
【００３４】
また、本発明では、水栓４０にシャワー機能を設けても良い。この場合、シャワーホース８９の接続部は水栓４０の上面、側面、下面のいずれに配置されても良い。シャワーホース接続部を水栓４０の下面に設ける場合、図４のようにカバー８０にホース通し口８０Ａを設ければ良い。
【００３５】
上記実施の形態ではいずれも水栓の固定にビス５４を用いているが、ボード１２にナットを固着しておきボルトによって水栓の固定を行うようにしても良い。
【００３６】
本発明では、ボルト又はビス以外の手段によって水栓を取り付けることも可能である。図５はその一例を示すものであり、水栓取付板２０の左右両サイドから前方に突片９０が突設され、該突片９０が水栓４０に対し留付金具９６によって留め付けられている。突片９０にはスリット９２が設けられており、このスリット９２に留付金具９６の差込片９６ｂが挿入される。
【００３７】
水栓４０の後面からは、該突片９０が挿入される溝が設けられると共に、水栓４０の両側端面からは差込片９６ｂが挿入される溝９４が設けられている。９６ａは留付金具９６の基片であり、差込片９６ｂを溝９４に差し込んだときに該基片９６ａが水栓４０の側端面に重なる。
【００３８】
上記の実施の形態にあっては、いずれもカバー８０を水栓４０とは別体としているが、図６に示す如く、カバー８０’を水栓４０’と一体としても良い。図６の水栓４０’のその他の構成は、前記水栓４０と同一であり、同一符号は同一部分を示している。このようにカバー８０’を水栓４０’と一体とした場合、カバー８０’を壁１０に固定した場合、水栓４０’も壁に固定されることになり、水栓の壁への取付強度がきわめて高いものとなる。また、取付け用のビス等の数が少なくて済み、取付作業性が良い。
【００３９】
【発明の効果】
以上の通り、本発明によると、水栓に対しチューブが直結状に接続されているので、チューブ接続作業数が少なくなり、作業性が向上すると共に、接続部の数が少ない分だけ漏水の可能性も低いものとなる。また、本発明によると、水栓の室内側への出張りを小さくすることも可能である。更に、本発明によれば、チューブの室内側への引き出しやチューブと水栓との接続を容易なものとしたり、更に壁裏への浸水を防止するよう構成することも可能である。
【図面の簡単な説明】
【図１】実施の形態を示す分解斜視図である。
【図２】実施の形態においてカバーを装着する状態を示す斜視図である。
【図３】実施の形態に係る構造を示す縦断面図である。
【図４】異なる実施の形態に係る構造を示す縦断面図である。
【図５】（ａ）図は別の実施の形態を示す分解斜視図である。（ｂ）図は（ａ）図による設置構造図要部（突片による固定構造部）の水平断面図である。
【図６】さらに別の実施の形態に用いられる水栓の背後方向からの斜視図である。
【符号の説明】
１０  壁
１２  ボード
１４  タイル
１６  開口
２０  水栓取付板
２２  凹部
２４  底面
２６  チューブ挿通部
３２  チューブ
４０，４０’  水栓
４４，４６  チューブ接続部
６２  ホース接続固定部材
８０，８０’  カバー
９０  突片
９６  差込片
【図１】
0003562326.tif 000002
【図２】
0003562326.tif 000003
【図３】
0003562326.tif 000004
【図４】
0003562326.tif 000005
【図５】
0003562326.tif 000006
【図６】
0003562326.tif 000007